(57)【要約】【課題】  遠心力利用の推進機の開発【解決手段】  基盤（１）に連結する架台（３）に設置した二組の四節回転連鎖のリンク装置の第１のリンク（５）がモーター（４）によって回転することでリンク装置が所定の回転を行うことで第３のリンク（１４）に設けた重り（１６）によって遠心力が発生し、それを輸送機関の推進力に利用する。【選択図】図１
2016200133.tif 000002
【特許請求の範囲】
【請求項１】
基盤（１）に設置した回転軸（２）と回転軸（２０）で架台（３）が基盤（１）に連結している。モーター（４）が回転軸（２）で二組の四節回転連鎖のリンク装置の第１リンク装置の第１のリンク（５）と連結している。第１のリンク（５）は第２のリンク（７）を介して第３のリンク（９）と連結し、その他端は架台（３）の中央部位（１１）に設けた回転軸（１０）で第２リンク装置の第１のリンク（２２）と両リンクが同じ向きで平行になるように連結し、モーター（４）の回転によって常に同期して回転するようにする。第２リンク装置の第１のリンク（２２）は第２のリンク（１３）を介して第３のリンク（１４）に連結しており、第３のリンク（１４）に設置した重り（１６）がモーター（４）の回転により回転し、遠心力を発生する。この遠心力を輸送機関の推進力に利用する。
【発明の詳細な説明】
【技術分野】
【０００１】  本発明は輸送機関の推進機に関する。
【背景技術】
【０００２】  現在、輸送機関に用いられている推進機は航空機にあってはプロペラ、ジェットエンジン、ロケット等、船舶にあってはスクリュー、自動車にあっては車輪による駆動と目的によって異なった原理が用いられている。しかし、輸送機関の全分野において遠心力を利用した推進機は存在しない。
【発明の概要】
【発明が解決しようとする課題】
【０００３】  本発明は遠心力を利用した推進機の開発を目的としている。
【課題を解決するための手段】
【０００４】  本発明の開発した推進機は基盤、遠心力を発生させる重り、二組の四節回転連鎖のリンク装置，架台、本機を稼働させる動力から構成されている。【０００５】  推進機を稼働させる動力は内燃機関、タービン、電気モーター等、種々あるが、本発明の説明には電気モーター（以下、モーターと称する）を用いる。【０００６】  基盤と架台は両端において回転軸で連結しており、そのひとつの回転軸に基盤に設置したモーターと二組の四節回転連鎖のリンク装置のひとつ（以下、これを第１リンク装置と称する）の第１のリンクと連結しており、モーターの回転を第１リンク装置に伝える。すなわち、第１のリンクは第２のリンクを介して第３のリンクに伝達される。
第３のリンクは架台の中央部位に設けた回転軸と連結し、その回転軸にはもうひとつの四節回転連鎖のリンク装置（以下、第２リンク装置と称する）の第１のリンクが連結している。この場合、第１リンク装置の第３のリンクと第２リンク装置の第１のリンクは同じ向きで平行になるように連結しており、両者は常に同期して回転するようになっている。【０００７】  第２リンク装置の第１のリンクは第２のリンクを介して第３のリンクに回転軸で連結している。この第３のリンクは第２のリンクとの連結する回転軸よりリンクの端を伸長させ、そこに遠心力を発生させる重りを設置してある。また、第３のリンクの他端は架台に設けた回転軸に連結している。【０００８】  第１リンク装置および第２リンク装置において、各リンクの長さの比は第３のリンクの回転軸間の長さを１０としたとき、第２のリンクの回転軸間の長さは６から１０の間、第１のリンクの回転軸間の長さは４から８になるようにする。
第４のリンクは第１のリンクと第３のリンクを連結する回転軸間の距離であって、基盤に設けた回転軸と架台に設けた回転軸を同一平面上に投影したときの距離であるが、第１リンク装置と第２リンク装置が支障なく回転できる範囲として、２から５が適当である。【０００９】  架台は第２リンク装置の第３のリンクに設置した重りによって発生した遠心力の方向を調整するもので、必要な角度架台と基盤を連結する回転軸を中心に回転させることで目的が達せられる。【００１０】  上記機構の作用は、モーターによって第１リンク装置と第２リンク装置を回転させることによって、第２リンク装置の第３のリンクに設置した重りによって発生する遠心力を推進力として利用することができる。
【発明の効果】
【００１１】  上述のごとく発生した遠心力を広く輸送機関の推進力として利用することができる。
【図面の簡単な説明】
【００１２】
【図１】本発明の実施形態を示す推進機の一部断面斜視図
【発明を実施するための形態】
【００１３】  以下、本発明の実施の形態を図１に基いて説明する。
【００１４】  図１において、基盤１に設置した回転軸２、および、回転軸２０で架台３を基盤１に連結し、モーター４と第１リンク装置の第１のリンク５が回転軸２に連結している。第１リンク装置の第１のリンク５の他端は回転軸６で第１リンク装置の第２のリンク７と連結している。その第２のリンク７の他端は回転軸８で第１リンク装置の第３のリンク９と連結している。その第３のリンクの他端は架台３の中央部位に設けた架台１１の回転軸１０で第２リンク装置の第１のリンク２２と連結している。この連結において第１リンク装置の第３のリンク９と第２リンク装置の第１のリンク２２は同じ向きで平行に連結しており、モーター４の回転で常に同期して回転するようにしてある。
【００１５】  第２リンク装置において第１のリンク２２の他端は回転軸１２で第２リンク装置の第２のリンク１３と連結しており、その第２のリンクの他端は第２リンク装置の第３のリンク１４と回転軸１５で連結している。その第３のリンクの端は回転軸１５より伸長してあり、その伸長部位に遠心力を発生させる重り１６が設置してある。また、その第３のリンクの他端は架台３に設けた回転軸１７に連結している。
【００１６】  第１リンク装置と第２リンク装置が円滑に作動するためにストッパー１８とストッパー１９がそれぞれの第２のリンクに設置してある。
【００１７】  架台３は回転軸２と回転軸２０を中心にして必要な角度回転させて遠心力の方向を変えることができる。その方向を維持するためにストッパー２１が架台３を基盤１に固定する。
【００１８】  以下、上記構成の動作を説明する。
モーター４で第１リンク装置の第１のリンク５を、回転軸２を中心に回転させることによって第１リンク装置、第２リンク装置の各リンクは所定の回転を行う。それによって第２リンク装置の第３のリンク１４に設置した重り１６によって遠心力を発生させ輸送機関の推進力として利用する。
【００１９】  本発明で図１に示した装置は、本発明の原理を説明するのに最も適した装置として示したもので、本原理に従った種々の構造、設置方法等に制約を与えるものではない。
【符号の説明】
【００２０】  １、  基盤
２、  回転軸
３、  架台
４、  モーター
５、  第１リンク装置の第１のリンク
６、  回転軸
７、  第１リンク装置の第２のリンク
８、  回転軸
９、  第１リンク装置の第３のリンク
１０、回転軸
１１、架台の中央部位
１２、回転軸
１３、第２リンク装置の第２のリンク
１４、第２リンク装置の第３のリンク
１５、回転軸
１６、重り
１７、回転軸
１８、ストッパー
１９、ストッパー
２０、回転軸
２１、ストッパー
２２、第２リンク装置の第１のリンク
【図１】
2016200133.tif 000003